(57)【要約】【課題】調光機能を備える放電灯点灯装置において、放電灯の寿命末期などによる異常点灯を精度よく検出する。【解決手段】調光決定部１５１が決定した調光レベルに基づいて、周波数指示部１５２が負荷回路に印加する高周波交流電圧の周波数を決定する。検出レベル指示部１５３は、調光レベルに基づいて異常検出回路１７０が生成する異常検出電圧の検出レベルを決定する。決定した検出レベルに基づいて異常検出回路１７０が生成した異常検出電圧が、検出閾値電圧より高い場合に、発振停止指示部１５４が、高周波電圧の生成を停止させる。【選択図】図３
2009129554.tif 000002
【特許請求の範囲】
【請求項１】
チョークコイルと、結合コンデンサと、放電灯回路とを直列に電気接続した負荷回路と、
上記負荷回路に印加する交流電圧を生成するインバータ回路と、
上記放電灯回路の一端の電位に基づいて、上記放電灯回路の一端の電位の振幅を検出し、検出した振幅に比例する異常検出電圧を生成する異常検出回路と、
上記インバータ回路を制御するマイクロコンピュータとを備え、
上記放電灯回路は、放電灯に電気接続可能な放電灯接続部と、上記放電灯接続部に放電灯を電気接続した場合に上記放電灯と並列に電気接続する始動コンデンサとを有し、
上記マイクロコンピュータは、
上記放電灯接続部に電気接続した放電灯を点灯する明るさを決定する調光決定部と、
上記調光決定部が決定した明るさに基づいて、上記インバータ回路が生成する交流電圧の周波数を決定し、決定した周波数に基づいて上記交流電圧を生成することを上記インバータ回路に対して指示する周波数指示部と、
上記調光決定部が決定した明るさに基づいて、上記異常検出回路が検出した振幅と上記異常検出回路が生成する異常検出電圧との比を決定し、決定した比に基づいて上記異常検出電圧を生成することを上記異常検出回路に対して指示する検出レベル指示部と、
上記異常検出回路が生成した異常検出電圧に基づいて、上記異常検出電圧が所定の検出閾値電圧より高い場合に、上記交流電圧の生成を停止することを上記インバータ回路に対して指示する発振停止指示部とを有する
ことを特徴とする放電灯点灯装置。
【請求項２】
上記検出レベル指示部は、決定した比を表わす検出レベル指示信号を出力し、
上記異常検出回路は、
上記放電灯接続部の一端の電位の振幅を検出し、検出した振幅に比例する充電電流を生成する充電電流生成回路と、
上記検出レベル指示部が出力した検出レベル指示信号に基づいて、抵抗値が変化する可変抵抗回路からなる放電回路と、
上記充電電流生成回路が生成した充電電流により充電し、上記放電回路を流れる電流により放電し、充電した電圧を上記異常検出電圧とする蓄電回路とを有する
ことを特徴とする請求項１に記載の放電灯点灯装置。
【請求項３】
上記放電回路は、少なくとも二つの抵抗回路を並列に電気接続した回路であり、
上記抵抗回路のうち第一の抵抗回路は、固定抵抗であり、
上記抵抗回路のうち第二の抵抗回路は、固定抵抗と、スイッチング回路とを直列に電気接続した回路であり、
上記スイッチング回路は、上記検出レベル指示部が出力した検出レベル指示信号の電位が所定の放電閾値電圧より高い場合に導通する
ことを特徴とする請求項２に記載の放電灯点灯装置。
【請求項４】
上記放電回路は、二つの抵抗値をとることが可能であり、上記検出レベル指示部が出力した検出レベル指示信号に基づいて、上記二つの抵抗値のいずれかの抵抗値をとり、
上記検出レベル指示部は、上記調光決定部が決定した明るさに基づいて、オン時間及びオフ時間を決定し、上記検出レベル指示信号として、上記オン時間の間、上記二つの抵抗値のうち第一の抵抗値をとることを上記放電回路に対して指示し、上記オフ時間の間、上記二つの抵抗値のうち第二の抵抗値をとることを上記放電回路に対して指示することを繰り返す信号を出力することを特徴とする請求項２または請求項３に記載の放電灯点灯装置。
【請求項５】
請求項１乃至請求項４のいずれかに記載の放電灯点灯装置と、
放電灯を着脱自在に取り付け可能であり、取り付けた放電灯を上記放電灯接続部に電気接続する放電灯ソケットと
を有することを特徴とする照明器具。
【発明の詳細な説明】
【技術分野】
【０００１】
この発明は、放電灯を点灯する放電灯点灯装置に関する。
【背景技術】
【０００２】
放電灯が寿命末期などにより異常点灯した場合、安全のため、直ちに放電灯を消灯する必要がある。このため、放電灯の異常点灯時に起こる電圧上昇などを検出することにより、放電灯の異常点灯を検出する技術がある。
一方、放電灯に印加する電圧を変化させることにより、放電灯の明るさを調整する調光機能を有する放電灯点灯装置がある。これは、住宅照明や施設照明において、省エネルギーや照明演出の観点から望まれる機能である。
【特許文献１】特開平５−１４４５８８号公報
【特許文献２】特開２００５−５０６４９号公報
【発明の開示】
【発明が解決しようとする課題】
【０００３】
調光機能を備えた放電灯点灯装置では、放電灯に印加する電圧を変化させるので、これを放電灯の異常と誤って検出することがあってはならない。
この発明は、例えば、上記のような課題を解決するためになされたものであり、調光による電圧変動を誤って放電灯の異常と判断せず、放電灯の異常点灯を精度よく検出することを目的とする。
【課題を解決するための手段】
【０００４】
この発明にかかる放電灯点灯回路は、
チョークコイルと、結合コンデンサと、放電灯回路とを直列に電気接続した負荷回路と、
上記負荷回路に印加する交流電圧を生成するインバータ回路と、
上記放電灯回路の一端の電位に基づいて、上記放電灯回路の一端の電位の振幅を検出し、検出した振幅に比例する異常検出電圧を生成する異常検出回路と、
上記インバータ回路を制御するマイクロコンピュータとを備え、
上記放電灯回路は、放電灯に電気接続可能な放電灯接続部と、上記放電灯接続部に放電灯を電気接続した場合に上記放電灯と並列に電気接続する始動コンデンサとを有し、
上記マイクロコンピュータは、
上記放電灯接続部に電気接続した放電灯を点灯する明るさを決定する調光決定部と、
上記調光決定部が決定した明るさに基づいて、上記インバータ回路が生成する交流電圧の周波数を決定し、決定した周波数に基づいて上記交流電圧を生成することを上記インバータ回路に対して指示する周波数指示部と、
上記調光決定部が決定した明るさに基づいて、上記異常検出回路が検出した振幅と上記異常検出回路が生成する異常検出電圧との比を決定し、決定した比に基づいて上記異常検出電圧を生成することを上記異常検出回路に対して指示する検出レベル指示部と、
上記異常検出回路が生成した異常検出電圧に基づいて、上記異常検出電圧が所定の検出閾値電圧より高い場合に、上記交流電圧の生成を停止することを上記インバータ回路に対して指示する発振停止指示部とを有することを特徴とする。
【発明の効果】
【０００５】
この発明にかかる放電灯点灯装置によれば、調光決定部が決定した放電灯を点灯する明るさに基づいて、異常検出回路が検出した振幅と異常検出回路が生成する異常検出電圧との比を検出レベル指示部が決定し、異常検出回路に対して指示するので、調光により放電灯に印加される電圧が変化する場合であっても、放電灯の異常を精度よく検出することができるという効果を奏する。
【発明を実施するための最良の形態】
【０００６】
実施の形態１．
実施の形態１について、図１〜図６を用いて説明する。
【０００７】
図１は、この実施の形態における照明器具８００の外観を示す斜視図である。
照明器具８００は、放電灯ＬＡを着脱自在に取り付けられる放電灯ソケット８１０を有し、放電灯ソケット８１０に取り付けた放電灯ＬＡを点灯する。
照明器具８００は、内部に（図示していない）放電灯点灯装置１００を有する。
放電灯点灯装置１００は、商用電源などの交流電源ＡＣから低周波交流電圧（例えば５０Ｈｚまたは６０Ｈｚ、１００Ｖ〜２４２Ｖ）を入力し、放電灯ＬＡに印加する高周波交流電圧（例えば４５ｋＨｚ）を生成する。
【０００８】
図２は、この実施の形態における放電灯点灯装置１００の回路構成を示す電気回路図である。
放電灯点灯装置１００は、電源整流回路１１０、アクティブフィルタ回路１２０、インバータ回路１３０、負荷回路１４０、マイクロコンピュータ１５０、異常検出回路１７０を有する。
【０００９】
電源整流回路１１０は、交流電源ＡＣから入力した交流電圧を全波整流して、脈流電圧を生成する。電源整流回路１１０は、例えば、ダイオードブリッジＤＢである。
なお、電源整流回路１１０は、ノイズを除去するためのコモンモードチョークやノーマルモードチョークやアクロスザラインコンデンサなどを有していてもよい。
【００１０】
アクティブフィルタ回路１２０は、電源整流回路１１０が生成した脈流電圧を昇圧または降圧して、高電圧の直流電圧（例えば４４０Ｖ）を生成する。アクティブフィルタ回路１２０は、例えば、チョークコイルＬ２１、ＰＦＣ１２２、ＦＥＴＱ２３、ダイオードＤ２４、コンデンサＣ２５からなる昇圧チョッパ回路であり、電源電圧波形に沿ってスイッチングを行うことにより、入力電流波形を成形して力率を改善する。
【００１１】
インバータ回路１３０は、アクティブフィルタ回路１２０が生成した直流電圧から、高周波交流電圧を生成する。
インバータ回路１３０は、例えば、ＦＥＴＱ３１、ＦＥＴＱ３２、インバータ制御回路１３３を有する。
ＦＥＴＱ３１及びＦＥＴＱ３２は、アクティブフィルタ回路１２０の出力に直列に電気接続されている。
インバータ制御回路１３３は、マイクロコンピュータ１５０からの指示に基づいて、ＦＥＴＱ３１及びＦＥＴＱ３２をそれぞれオンオフするドライブ信号を出力する。
マイクロコンピュータ１５０からの指示により、高周波交流電圧を生成する場合、インバータ制御回路１３３は、指示された周波数でＦＥＴＱ３１及びＦＥＴＱ３２を交互にオンオフするドライブ信号を生成する。これにより、ＦＥＴＱ３１とＦＥＴＱ３２との接続点に、指示された周波数の高周波矩形波電圧が発生する。
また、マイクロコンピュータ１５０からの指示により、高周波交流電圧の生成を停止する場合、インバータ制御回路１３３は、ＦＥＴＱ３１及びＦＥＴＱ３２をともにオフの状態を継続するドライブ信号を生成する。これにより、ＦＥＴＱ３１とＦＥＴＱ３２との接続点には、電圧が発生しない。
【００１２】
負荷回路１４０には、インバータ回路１３０が生成した高周波交流電圧が印加される。これにより、放電灯ソケット８１０に取り付けた放電灯ＬＡが点灯する。
負荷回路１４０は、チョークコイルＬ４１と、結合コンデンサＣ４２と、放電灯回路１４３とを直列に電気接続した回路である。
チョークコイルＬ４１は、放電灯ＬＡ点灯時に放電灯ＬＡを流れる電流を制限するためのインダクタである。
結合コンデンサＣ４２は、インバータ回路１３０が生成した高周波交流電圧の直流成分をカットするためのコンデンサである。
なお、この例では、チョークコイルＬ４１、放電灯回路１４３、結合コンデンサＣ４２の順で直列接続しているが、接続順序はこれに限らず、例えば、チョークコイルＬ４１、結合コンデンサＣ４２、放電灯回路１４３の順であってもよい。
【００１３】
放電灯回路１４３は、始動コンデンサＣ４４、放電灯接続部１４５を有する。
放電灯接続部１４５は、放電灯ソケット８１０に取り付けた放電灯ＬＡと電気接続する接点である。
始動コンデンサＣ４４は、放電灯接続部１４５に放電灯ＬＡを電気接続した場合に、放電灯ＬＡと並列に電気接続している。始動コンデンサＣ４４は、チョークコイルＬ４１との共振により、始動時に放電灯ＬＡに印加する高電圧を生成するためのコンデンサである。
【００１４】
マイクロコンピュータ１５０は、インバータ回路１３０や異常検出回路１７０などに指示を出すことにより、放電灯ＬＡの点灯・調光・消灯などを制御する。マイクロコンピュータ１５０の詳しい動作については、後述する。
【００１５】
操作入力回路１６０は、利用者の操作を入力し、入力した操作の内容を表わす信号（以下「操作信号」と呼ぶ。）を、マイクロコンピュータ１５０に対して出力する。
操作入力回路１６０は、例えば、引き紐、操作パネル、リモコン受光回路などを有し、引き紐を利用者が引いたり、操作パネルに設けられたボタンを利用者が操作したり、リモコンのスイッチを利用者が押したりした場合に、利用者が操作した操作内容を入力する。
【００１６】
異常検出回路１７０は、放電灯ソケット８１０に取り付けた放電灯ＬＡの異常点灯などをマイクロコンピュータ１５０が検出するため、異常検出電圧を生成する。
異常検出回路１７０は、放電灯回路１４３の高電位側の端子（以下「検出点」と呼ぶ。）の電位を入力し、入力した検出点の電位の振幅を検出する。ここで、検出点の電位の振幅とは、検出点の電位の最大値と最小値との差（Ｐ−Ｐ電圧）のことである。異常検出回路１７０は、検出した振幅に比例する電圧を生成して、異常検出電圧とする。
例えば、放電灯ＬＡが寿命末期になると、放電灯ＬＡのインピーダンスが大きくなり、検出点の電位の振幅が大きくなる。したがって、異常検出回路１７０が生成する異常検出電圧が高くなる。
【００１７】
図３は、この実施の形態におけるマイクロコンピュータ１５０及び異常検出回路１７０の内部ブロックの構成を示す詳細ブロック図である。
【００１８】
マイクロコンピュータ１５０は、図示していないＲＯＭなどの記憶装置が記憶したプログラムを実行することにより、以下で説明する機能ブロックを実現する。
マイクロコンピュータ１５０は、調光決定部１５１、周波数指示部１５２、検出レベル指示部１５３、発振停止指示部１５４を有する。
【００１９】
調光決定部１５１は、放電灯ソケット８１０に取り付けた放電灯ＬＡを点灯する明るさ（以下「調光レベル」と呼ぶ。）を決定する。調光決定部１５１は、例えば、操作入力回路１６０が出力した利用者の操作内容を表わす信号を入力し、入力した信号に基づいて、利用者の調光操作に対応する調光レベルを決定する。あるいは、調光決定部１５１は、屋外の明るさを検出するセンサからの入力に基づいて、屋外が明るい場合には放電灯ＬＡを暗くし、屋外が暗い場合には放電灯ＬＡを明るくするよう、調光レベルを決定してもよい。また、調光決定部１５１は、放電灯ＬＡの点灯累計時間を計測し、点灯累計時間が短い場合には放電灯ＬＡを暗くし、点灯累計時間が長い場合には放電灯ＬＡを明るくするよう、調光レベルを決定してもよい。
【００２０】
周波数指示部１５２は、インバータ回路１３０が生成する高周波交流電圧の周波数を決定し、決定した周波数の高周波交流電圧を生成することをインバータ制御回路１３３に指示する。例えば、周波数指示部１５２は、決定した周波数を表わす周波数指示信号を生成し、出力する。インバータ制御回路１３３は、周波数指示部１５２が出力した周波数指示信号を入力し、入力した周波数指示信号に基づいて、生成するドライブ信号の周波数を決定する。
放電灯ＬＡの点灯を開始する場合、周波数指示部１５２は、まず、放電灯ＬＡを予熱するための周波数（以下「予熱周波数」と呼ぶ。）を、インバータ回路１３０が生成する高周波交流電圧の周波数に決定する。予熱周波数は、チョークコイルＬ４１と始動コンデンサＣ４４との共振周波数から離れた周波数であり、インバータ回路１３０が予熱周波数の高周波交流電圧を生成すると、放電灯ＬＡのフィラメント間には、比較的低い電圧が印加される。これにより、放電灯ＬＡのフィラメントが暖められ、放電を開始しやすくなる。
放電灯ＬＡのフィラメントが十分に暖められる時間が経過したのち、周波数指示部１５２は、放電灯ＬＡの放電を開始するための周波数（以下「始動周波数」と呼ぶ。）を、インバータ回路１３０が生成する高周波交流電圧の周波数に決定する。始動周波数は、チョークコイルＬ４１と始動コンデンサＣ４４との共振周波数に近い周波数であり、インバータ回路１３０が始動周波数の高周波交流電圧を生成すると、放電灯ＬＡのフィラメント間には、比較的高い電圧が印加される。放電灯ＬＡのフィラメントが十分に暖められているので、放電灯ＬＡのフィラメント間の放電が開始し、放電灯ＬＡが点灯する。
放電灯ＬＡが点灯したのち、周波数指示部１５２は、放電灯ＬＡの点灯を継続するための周波数（以下「点灯周波数」と呼ぶ。）を、インバータ回路１３０が生成する高周波交流電圧の周波数に決定する。点灯周波数は、予熱周波数と同じであってもよいし、異なっていてもよい。
放電灯ＬＡが点灯している状態において、放電灯ＬＡに印加される電圧は、点灯周波数によって決まり、点灯周波数が高いほど放電灯ＬＡに印加される電圧は低く、点灯周波数が低いほど放電灯ＬＡに印加される電圧は高くなる。点灯している放電灯ＬＡは負性抵抗を有しているので、放電灯ＬＡに印加される電圧が高いほど放電灯ＬＡを流れる電流は小さくなる。このため、点灯周波数を変えることにより、調光レベルを変えることができる。
周波数指示部１５２は、調光決定部１５１が決定した調光レベルに基づいて、点灯周波数を決定し、決定した点灯周波数の高周波交流電圧を生成することをインバータ制御回路１３３に指示する。
【００２１】
発振停止指示部１５４は、異常検出回路１７０が生成した異常検出電圧を入力し、入力した異常検出電圧を、所定の検出閾値電圧と比較する。比較の結果、異常検出電圧が所定の検出閾値電圧より高いと判定した場合、発振停止指示部１５４は、高周波交流電圧の生成を停止することをインバータ制御回路１３３に対して指示する。例えば、発振停止指示部１５４は、高周波交流電圧の生成の停止を指示する発振停止信号を生成し、出力する。インバータ制御回路１３３は、発振停止指示部１５４が出力した発振停止信号を入力し、入力した発信停止信号に基づいて、高周波交流電圧の生成を停止する。
【００２２】
マイクロコンピュータのなかには、アナログデジタル変換器を内蔵し、入力した電圧を、任意の閾値電圧と比較できるもののあるが、この実施の形態におけるマイクロコンピュータ１５０は、アナログデジタル変換器を内蔵していないものとする。したがって、マイクロコンピュータ１５０は、内部の論理回路の構成により定まる固定された電圧を閾値電圧とし、入力した電圧がその閾値電圧より高いか低いかのみを判定できる。
発振停止指示部１５４は、マイクロコンピュータ１５０の構成により定まる固定された電圧を検出閾値電圧とし、入力した異常検出電圧を検出閾値電圧と比較する。
【００２３】
検出レベル指示部１５３は、異常検出回路１７０が検出した振幅と、異常検出回路１７０が生成する異常検出電圧との比（以下「検出レベル」と呼ぶ。）を決定し、決定した検出レベルに基づいて異常検出電圧を生成することを異常検出回路１７０に対して指示する。例えば、検出レベル指示部１５３は、決定した検出レベルを表わす検出レベル指示信号を生成し、出力する。
上述したように、放電灯ＬＡが寿命末期になるなどして放電灯ＬＡのインピーダンスが大きくなった場合、異常検出回路１７０が検出する振幅が大きくなるので、異常検出回路１７０が生成する異常検出電圧が高くなる。そこで、検出レベル指示部１５３は、放電灯ＬＡが正常点灯している場合には異常検出回路１７０が生成する異常検出電圧が検出閾値電圧より低くなり、放電灯ＬＡが異常点灯している場合には異常検出回路１７０が生成する異常検出電圧が検出閾値電圧より高くなるよう、検出レベルを決定する。
【００２４】
放電灯ＬＡを調光制御しない場合には、放電灯ＬＡが正常点灯しているときに異常検出回路１７０が検出する振幅は一定だが、放電灯ＬＡを調光制御する場合、放電灯ＬＡに印加する電圧が変化するので、異常検出回路１７０が検出する振幅が変化する。したがって、それに応じて、検出レベルを変える必要がある。
検出レベル指示部１５３は、調光決定部１５１が決定した調光レベルに基づいて、検出レベルを決定する。
【００２５】
異常検出回路１７０は、充電電流生成回路１７１、蓄電回路１７２、放電回路１７３を有する。
充電電流生成回路１７１は、検出点の電位の振幅を検出し、検出した振幅に比例する電流（以下「充電電流」と呼ぶ。）を生成する。
放電回路１７３は、検出レベル指示部１５３が出力した検出レベル指示信号を入力し、入力した検出レベル指示信号に基づいて、抵抗値が変化する可変抵抗回路である。
蓄電回路１７２は、例えば、コンデンサなどであり、充電電流生成回路１７１が生成した充電電流により充電される。また、蓄電回路１７２は、放電回路１７３と並列に電気接続していて、放電回路１７３を流れる電流（以下「放電電流」と呼ぶ。）により放電される。
異常検出回路１７０は、蓄電回路１７２に充電された電圧を、異常検出電圧として出力する。蓄電回路１７２に充電された電圧は、充電電流と放電電流が等しくなる電圧で平衡する。放電電流は、蓄電回路１７２に充電された電圧に比例する。したがって、異常検出電圧は、充電電流生成回路１７１が検出した振幅に比例する。また、放電電流は、放電回路１７３の抵抗値に反比例する。したがって、検出レベル指示部１５３が出力した検出レベル指示信号に基づいて、検出レベルが変化する。
【００２６】
図４は、この実施の形態における異常検出回路１７０の具体的な回路構成を示す電気回路図である。
この例において、調光決定部１５１は、調光レベルとして、二通りの調光レベルのなかから選択した調光レベルを決定するものとする。例えば、調光決定部１５１は、１００％点灯と、７０％調光点灯との二通りの調光レベルから、放電灯ＬＡを点灯する調光レベルを選択する。
【００２７】
充電電流生成回路１７１は、抵抗Ｒ８１、抵抗Ｒ８２、コンデンサＣ８３、ダイオードＤ８４、ダイオードＤ８５を有する。
抵抗Ｒ８１は、負荷回路１４０の検出点に、一方の端子を電気接続している。
抵抗Ｒ８２は、抵抗Ｒ８１の他方の端子に、一方の端子を電気接続し、グランド配線ＧＮＤに、他方の端子を電気接続している。
コンデンサＣ８３は、抵抗Ｒ８１と抵抗Ｒ８２との接続点に、一方の端子を電気接続している。
ダイオードＤ８４は、コンデンサＣ８３の他方の端子に、アノード端子を電気接続している。
ダイオードＤ８５は、コンデンサＣ８３とダイオードＤ８４との接続点に、カソード端子を電気接続し、グランド配線ＧＮＤに、アノード端子を電気接続している。
【００２８】
負荷回路１４０の検出点の電圧は、抵抗Ｒ８１と抵抗Ｒ８２とにより分圧され、コンデンサＣ８３により直流成分がカットされる。コンデンサＣ８３を流れる電流のうち、図中に示した矢印の方向に流れる電流は、ダイオードＤ８４を介して流れて充電電流となり、矢印と逆の方向に流れる電流は、ダイオードＤ８５を介してグランド配線ＧＮＤから供給される。これにより、充電電流生成回路１７１は、負荷回路１４０の検出点の電位の交流成分の振幅に比例する充電電流を生成する。
【００２９】
蓄電回路１７２は、コンデンサＣ９１を有する。
コンデンサＣ９１は、ダイオードＤ８４のカソード端子に、一方の端子を電気接続し、グランド配線ＧＮＤに、他方の端子を電気接続している。
これにより、蓄電回路１７２は、充電電流生成回路１７１が生成した充電電流により充電される。
【００３０】
放電回路１７３は、抵抗回路１７４と、抵抗回路１７５とが並列に電気接続した回路である。
抵抗回路１７４は、抵抗Ｒ０１を有する。抵抗Ｒ０１は固定抵抗であり、ダイオードＤ８４とコンデンサＣ９１との接続点に、一方の端子を電気接続し、グランド配線ＧＮＤに、他方の端子を電気接続している。
【００３１】
抵抗回路１７５は、抵抗Ｒ０２、スイッチング回路１７８を有する。
抵抗Ｒ０２は、固定抵抗であり、ダイオードＤ８４とコンデンサＣ９１との接続点に、一方の端子を電気接続している。
スイッチング回路１７８は、三端子（入力端子、基準端子、出力端子）の回路であり、入力端子と基準端子との間の電位差が所定の電圧（以下「放電閾値電圧」と呼ぶ。）より高い場合に、出力端子と基準端子との間が導通し、入力端子と基準端子との間の電位差が放電閾値電圧より低い場合に、出力端子と基準端子との間が絶縁する。スイッチング回路１７８は、検出レベル指示部１５３の出力に、入力端子を電気接続し、抵抗Ｒ０２の他方の端子に、出力端子を電気接続し、グランド配線ＧＮＤに、基準端子を電気接続している。これにより、スイッチング回路１７８は、検出レベル指示部１５３が出力した検出レベル指示信号の電位が放電閾値電圧よりも高い場合に導通する。
【００３２】
スイッチング回路１７８は、例えば、抵抗Ｒ０３とトランジスタＱ０８とを有する。抵抗Ｒ０３は、固定抵抗であり、スイッチング回路１７８の入力端子に、一方の端子を接続している。トランジスタＱ０８は、ＮＰＮバイポーラトランジスタであり、抵抗Ｒ０３の他方の端子に、ベース端子を接続し、スイッチング回路１７８の出力端子に、コレクタ端子を接続し、スイッチング回路１７８の基準端子に、エミッタ端子を接続している。
なお、スイッチング回路１７８の構成は、これに限らず、例えば、ＦＥＴを使った構成でもよいし、リレーを使った構成でもよいし、ホトカプラを使った構成でもよい。
【００３３】
検出レベル指示部１５３が出力した検出レベル指示信号の電位が放電閾値電圧よりも低い場合、スイッチング回路１７８が絶縁するので、放電回路１７３の（等価）抵抗値は、抵抗Ｒ０１の抵抗値に等しくなる。
また、検出レベル指示部１５３が出力した検出レベル指示信号の電位が放電閾値電圧よりも高い場合、スイッチング回路１７８が導通するので、放電回路１７３の抵抗値は、抵抗Ｒ０１と抵抗Ｒ０２との並列回路の抵抗値に等しくなる。
すなわち、放電回路１７３は、二つの抵抗値をとることが可能であり、検出レベル指示部１５３が出力した検出レベル指示信号に基づいて、二つの抵抗値のうちのいずれかの抵抗値をとる回路である。
【００３４】
次に、動作について説明する。
【００３５】
図５は、この実施の形態における放電灯点灯装置１００が放電灯ＬＡの調光レベルを調整する調光処理の流れを示すフローチャート図である。
【００３６】
調光レベル決定工程Ｓ５１１において、調光決定部１５１は、調光レベルを決定する。
周波数決定工程Ｓ５１２において、周波数指示部１５２は、調光レベル決定工程Ｓ５１１で調光決定部１５１が決定した調光レベルに基づいて、インバータ回路１３０が生成する高周波交流電圧の周波数（点灯周波数）を決定する。
周波数指示工程Ｓ５１３において、周波数指示部１５２は、インバータ制御回路１３３に対して、周波数決定工程Ｓ５１２で決定した周波数の高周波交流電圧を生成することを指示する。
交流電圧生成工程Ｓ５１４において、インバータ制御回路１３３は、周波数指示工程Ｓ５１３で周波数指示部１５２から指示された周波数のドライブ信号を生成する。これにより、インバータ回路１３０は、指示された周波数の高周波交流電圧を生成する。
検出レベル決定工程Ｓ５１５において、検出レベル指示部１５３は、調光レベル決定工程Ｓ５１１で調光決定部１５１が決定した調光レベルに基づいて、検出レベルを決定する。
検出レベル指示工程Ｓ５１６において、検出レベル指示部１５３は、異常検出回路１７０に対して、検出レベル決定工程Ｓ５１５で決定した検出レベルで異常検出電圧を生成することを指示する。
異常検出電圧生成工程Ｓ５１７において、異常検出回路１７０は、検出レベル指示工程Ｓ５１６で検出レベル指示部１５３から指示された検出レベルで異常検出電圧を生成する。
【００３７】
図６は、この実施の形態における放電灯点灯装置１００の動作を示すシーケンス図である。
この例において、時刻ｔ０に、調光決定部１５１が放電灯ＬＡを１００％点灯することを決定し、時刻ｔ１に、調光決定部１５１が放電灯ＬＡを７０％点灯することを決定し、時刻ｔ２に、調光決定部１５１が放電灯ＬＡを再び１００％点灯することを決定したものとする。また、時刻ｔ３に、放電灯ＬＡに異常が発生し、放電灯ＬＡが異常点灯したものとする。
【００３８】
周波数指示部１５２は、調光決定部１５１が決定した調光レベル６１１に基づいて、点灯周波数６１２を決定する。インバータ回路１３０は、周波数指示部１５２が決定した点灯周波数６１２に基づいて、高周波交流電圧を生成し、負荷回路１４０に印加する。
異常検出回路１７０は、検出点の電位６１３に基づいて、振幅６１４を検出し、異常検出電圧６１６を生成する。
【００３９】
時刻ｔ１において、インバータ回路１３０が生成する高周波交流電圧の周波数が低くなり、充電電流生成回路１７１が検出する振幅６１４が大きくなる。その一方で、検出レベル指示部１５３が出力する検出レベル指示信号６１５が高電位になり、放電回路１７３の抵抗値が下がるので、異常検出回路１７０が生成する異常検出電圧６１６は変わらず、検出閾値電圧６１７より低いままとなる。したがって、発振停止指示部１５４は、放電灯ＬＡの異常とは認識しない。
【００４０】
時刻ｔ２において、インバータ回路１３０が生成する高周波交流電圧の周波数が高くなり、充電電流生成回路１７１が検出する振幅６１４が小さくなる。その一方で、検出レベル指示部１５３が出力する検出レベル指示信号６１５が低電位になり、放電回路１７３の抵抗値が上がるので、異常検出回路１７０が生成する異常検出電圧６１６は変わらない。
【００４１】
時刻ｔ３において、放電灯ＬＡに異常が発生し、充電電流生成回路１７１が検出する振幅６１４が大きくなる。検出レベル指示部１５３が出力する検出レベル指示信号６１５は変わらないので、放電回路１７３の抵抗値も変わらず、異常検出回路１７０が生成する異常検出電圧６１６が高くなって、検出閾値電圧６１７より高くなる。これにより、発振停止指示部１５４は、放電灯ＬＡの異常を検出し、発振停止信号６１８を出力する。インバータ回路１３０は、発振停止指示部１５４が出力した発振停止信号６１８に基づいて、高周波交流電圧の生成を停止する。
【００４２】
このように、調光のため放電灯ＬＡに印加する電圧を高くする場合には、検出レベル指示部１５３が検出レベルを下げるので、放電灯ＬＡが正常に点灯していれば、異常検出回路１７０が生成する異常検出電圧は、検出閾値電圧より低くなる。したがって、発振停止指示部１５４が誤って放電灯ＬＡが異常点灯していると判定することはない。
また、調光のため放電灯ＬＡに印加する電圧を低くする場合には、検出レベル指示部１５３が検出レベルを上げるので、放電灯ＬＡが正常に点灯していれば、常に、異常検出回路１７０が生成する異常検出電圧は、検出閾値電圧より少し低い電圧となる。したがって、放電灯ＬＡが異常点灯して、異常検出回路１７０が生成する異常検出電圧が少しでも高くなれば、検出閾値電圧より高くなり、すぐに、発振停止指示部１５４が異常を検出して、インバータ回路１３０の発振を停止する。
これにより、放電灯ＬＡの異常点灯を精度よく検出することができる。
【００４３】
また、検出レベル指示部１５３が決定した検出レベルにより、異常検出回路１７０が生成する異常検出電圧のレベルを調整するので、アナログデジタル変換器を内蔵していないマイクロコンピュータ１５０を使用しても、異常検出電圧が検出閾値電圧より高いか否かを判定することができる。もちろん、マイクロコンピュータ１５０のほかに、アナログデジタル変換器や、コンパレータなどを設ける必要もない。これにより、放電灯点灯装置１００の製造コストを削減することができる。
【００４４】
実施の形態２．
実施の形態２について、図７〜図８を用いて説明する。
この実施の形態における照明器具８００の外観及び放電灯点灯装置１００の回路構成は、実施の形態１で説明したものと同様なので、ここでは説明を省略する。
【００４５】
実施の形態１では、周波数指示部１５２が周波数を指示すると、すぐにインバータ回路１３０が生成する高周波交流電圧の周波数を変更し、放電灯ＬＡに印加される電圧が変化するものとして説明したが、周波数指示部１５２が周波数を指示してから、実際に放電灯ＬＡに印加される電圧が変化するまでに、遅れが生じる場合がある。
この実施の形態では、そのような遅れが生じる場合について説明する。
【００４６】
図７は、この実施の形態における放電灯点灯装置１００が放電灯ＬＡの異常点灯を検出する異常検出処理の流れを示すフローチャート図である。
【００４７】
検出レベル判定工程Ｓ５２１において、発振停止指示部１５４は、検出レベル指示部１５３が決定した検出レベルが上がったか否かを判定する。ここで、「検出レベルが上がる」とは、検出レベル指示部１５３が決定した検出レベルが変化したことにより、異常検出回路１７０が検出した振幅が同じ場合に、異常検出回路１７０が生成する異常検出電圧が高くなる場合を指す。検出レベルが上がったと判定した場合、マスク時間経過待ち工程Ｓ５２２へ進む。検出レベルが下がった（あるいは変わらない）と判定した場合、異常判定工程Ｓ５２３へ進む。
マスク時間経過待ち工程Ｓ５２２において、発振停止指示部１５４は、検出レベル指示部１５３が検出レベルを異常検出回路１７０に対して指示してからの経過時間を測定し、所定の時間（以下「マスク時間」と呼ぶ。）が経過したか否かを判定する。マスク時間が経過していないと判定した場合、マスク時間経過待ち工程Ｓ５２２を繰り返す。マスク時間が経過したと判定した場合、異常判定工程Ｓ５２３へ進む。
異常判定工程Ｓ５２３において、発振停止指示部１５４は、異常検出回路１７０が生成した異常検出電圧を、検出閾値電圧と比較して、どちらが高いか判定する。異常検出電圧のほうが検出閾値電圧よりも高いと判定した場合、発振停止指示工程Ｓ５２４へ進む。異常検出電圧のほうが検出閾値電圧よりも低いと判定した場合、検出レベル判定工程Ｓ５２１に戻る。
発振停止指示工程Ｓ５２４において、発振停止指示部１５４は、インバータ制御回路１３３に対して、高周波交流電圧の生成の停止を指示する。
発振停止工程Ｓ５２５において、インバータ制御回路１３３は、発振停止指示部１５４の指示に基づいてドライブ信号を生成し、インバータ回路１３０は、高周波交流電圧の生成を停止する。
【００４８】
図８は、この実施の形態における放電灯点灯装置１００の動作を示すシーケンス図である。
実施の形態１で説明した図６と同様、時刻ｔ０に、調光決定部１５１が放電灯ＬＡを１００％点灯することを決定し、時刻ｔ１に、調光決定部１５１が放電灯ＬＡを７０％点灯することを決定し、時刻ｔ２に、調光決定部１５１が放電灯ＬＡを再び１００％点灯することを決定したものとする。また、時刻ｔ３に、放電灯ＬＡに異常が発生し、放電灯ＬＡが異常点灯したものとする。
【００４９】
周波数指示部１５２が周波数を指示してから、実際に放電灯ＬＡに印加される電圧が変化するまでに遅れがあるので、充電電流生成回路１７１が検出する振幅６１４は、時刻ｔ１には変化せず、遅れ時間６２１が経過したのちに変化する。時刻ｔ２においても同様に、振幅６１４は変化せず、遅れ時間６２２が経過したのちに変化する。
【００５０】
遅れ時間６２１において、充電電流生成回路１７１が検出する振幅６１４は、まだ大きくなっていないが、検出レベル指示部１５３が高電位の検出レベル指示信号６１５を出力しているので、放電回路１７３の抵抗値が小さくなっている。このため、異常検出回路１７０が生成する異常検出電圧６１６は、一時的に小さくなる。
遅れ時間６２１が経過したのち、充電電流生成回路１７１が検出する振幅６１４が大きくなり、異常検出回路１７０が生成する異常検出電圧は、正しい値に戻る。
したがって、もし遅れ時間６２１の間に放電灯ＬＡが異常点灯を始めたとすると、発振停止指示部１５４は、遅れ時間６２１が経過したのちに放電灯ＬＡの異常を検出する。
一般に遅れ時間６２１は短いので、遅れ時間６２１の間、放電灯ＬＡの異常を検出できなかったとしても、支障はない。
【００５１】
遅れ時間６２２において、充電電流生成回路１７１が検出する振幅６１４は、まだ小さくなっていないが、検出レベル指示部１５３が低電位の検出レベル指示信号６１５を出力しているので、放電回路１７３の抵抗値が大きくなっている。このため、異常検出回路１７０が生成する異常検出電圧６１６は、一時的に大きくなる。
遅れ時間６２２が経過したのち、充電電流生成回路１７１が検出する振幅６１４が小さくなり、異常検出回路１７０が生成する異常検出電圧は、正しい値に戻る。
したがって、遅れ時間６２２の間及びその後少しの間は、異常検出回路１７０が生成する異常検出電圧が、検出閾値電圧より高くなる場合がある。
【００５２】
そこで、この実施の形態における発振停止指示部１５４は、遅れ時間６２２よりも長い時間６２３をマスク時間とし、マスク時間６２３の間は、異常判定をしない。
これにより、検出レベルを下げたとき、実際に放電灯ＬＡに印加される電圧が下がるのが遅れたことにより、発振停止指示部１５４が誤って放電灯ＬＡが異常点灯していると判定するのを防ぐことができる。
なお、もし遅れ時間の間に放電灯ＬＡが異常点灯を始めたとすると、発振停止指示部１５４は、マスク時間６２３が経過したのちに放電灯ＬＡの異常を検出する。
一般に遅れ時間６２２は短いので、マスク時間６２３を適切な長さに設定しておけば、マスク時間６２３の間、放電灯ＬＡの異常を検出できなかったとしても、支障はない。
【００５３】
このように、検出レベルを高くした場合には、発振停止指示部１５４はマスク時間６２３が経過するまで異常判定をしないので、発振停止指示部１５４が誤って放電灯ＬＡが異常点灯していると判定せず、放電灯ＬＡの異常点灯を精度よく検出することができる。
【００５４】
実施の形態３．
実施の形態３について、図９〜図１０を用いて説明する。
この実施の形態における照明器具８００の外観及び放電灯点灯装置１００の回路構成は、実施の形態１で説明したものと同様なので、ここでは説明を省略する。
【００５５】
この実施の形態では、実施の形態２と同様、周波数指示部１５２が周波数を指示してから、実際に放電灯ＬＡに印加される電圧が変化するまでに遅れが生じる場合に対する別の対策について説明する。
【００５６】
図９は、この実施の形態における放電灯点灯装置１００が放電灯ＬＡの調光レベルを調整する調光処理の流れを示すフローチャート図である。
なお、実施の形態１で説明した調光処理と共通する部分については、同一の符号を付し、ここでは説明を省略する。
【００５７】
検出レベル決定工程Ｓ５１５の後、検出レベル判定工程Ｓ５３１において、検出レベル指示部１５３は、検出レベル指示部１５３が決定した検出レベルが上がったか否かを判定する。検出レベルが上がったと判定した場合、マスク時間経過待ち工程Ｓ５３２へ進む。検出レベルが下がった（あるいは変わらない）と判定した場合、検出レベル指示工程Ｓ５１６へ進む。
マスク時間経過待ち工程Ｓ５３２において、検出レベル指示部１５３は、周波数指示部１５２が周波数をインバータ制御回路１３３に対して指示してからの経過時間を測定し、マスク時間が経過したか否かを判定する。マスク時間が経過していないと判定した場合、マスク時間経過待ち工程Ｓ５３２を繰り返す。マスク時間が経過したと判定した場合、検出レベル指示工程Ｓ５１６へ進む。
【００５８】
図１０は、この実施の形態における放電灯点灯装置１００の動作を示すシーケンス図である。
実施の形態２で説明した図８と同様、時刻ｔ０に、調光決定部１５１が放電灯ＬＡを１００％点灯することを決定し、時刻ｔ１に、調光決定部１５１が放電灯ＬＡを７０％点灯することを決定し、時刻ｔ２に、調光決定部１５１が放電灯ＬＡを再び１００％点灯することを決定したものとする。また、時刻ｔ３に、放電灯ＬＡに異常が発生し、放電灯ＬＡが異常点灯したものとする。
また、マスク時間６２４は、遅れ時間６２２よりも長いものとする。
【００５９】
遅れ時間６２２において、充電電流生成回路１７１が検出する振幅６１４は、まだ小さくなっていないが、検出レベル指示部１５３が出力する検出レベル指示信号６１５が高電位のままなので、放電回路１７３の抵抗値は変わらず、異常検出回路１７０が生成する異常検出電圧６１６は、変化しない。
遅れ時間６２２が経過した後、マスク時間６２４が経過する前の期間において、充電電流生成回路１７１が検出する振幅６１４は小さくなるが、検出レベル指示部１５３が出力する検出レベル指示信号６１５が高電位のままなので、放電回路１７３の抵抗値は変わらず、異常検出回路１７０が生成する異常検出電圧６１６は、小さくなる。
マスク時間６２４が経過した後、検出レベル指示部１５３が低電位の検出レベル指示信号６１５を出力するので、放電回路１７３の抵抗値が大きくなり、異常検出回路１７０が生成する異常検出電圧６１６は、正しい値に戻る。
【００６０】
このように、検出レベルを高くする場合、遅れ時間６２２より長いマスク時間６２４の間は、検出レベルの変更を指示せず、マスク時間６２４が経過した後に、検出レベルの変更を指示することにより、放電灯ＬＡが正常に点灯していれば、異常検出電圧６１６が検出閾値電圧より高くならない。したがって、発振停止指示部１５４が誤って放電灯ＬＡが異常点灯していると判定せず、放電灯ＬＡの異常点灯を精度よく検出することができる。
【００６１】
実施の形態４．
実施の形態４について、図１１を用いて説明する。
この実施の形態における照明器具８００の外観及び放電灯点灯装置１００の回路構成は、実施の形態１で説明したものと同様なので、ここでは説明を省略する。
【００６２】
この実施の形態では、調光レベルが二通りではなく、もっと多い場合について説明する。
【００６３】
図１１は、この実施の形態における異常検出回路１７０の具体的な回路構成を示す電気回路図である。
なお、実施の形態１で説明した異常検出回路１７０と共通する部分については、同一の符号を付し、ここでは説明を省略する。
【００６４】
この例において、調光決定部１５１は、調光レベルとして、三通りあるいは四通りの調光レベルのなかから選択した調光レベルを決定するものとする。例えば、調光決定部１５１は、１００％点灯と、８０％調光点灯と、６０％調光点灯との三通りの調光レベルから、調光レベルを選択する。
【００６５】
検出レベル指示部１５３は、二つの検出レベル指示信号６１５ａ，６１５ｂを生成し、出力する。例えば、１００％点灯に対応する検出レベルを指示する場合、検出レベル指示部１５３は、二つの検出レベル指示信号６１５ａ，６１５ｂをともに低電位とする。８０％調光点灯に対応する検出レベルを指示する場合、検出レベル指示部１５３は、検出レベル指示信号６１５ａを低電位、検出レベル指示信号６１５ｂを高電位にする。６０％調光点灯に対応する検出レベルを指示する場合、検出レベル指示部１５３は、検出レベル指示信号６１５ａを高電位、検出レベル指示信号６１５ｂを低電位にする。
【００６６】
放電回路１７３は、更に、抵抗回路１７６を有し、抵抗回路１７４と、抵抗回路１７５と、抵抗回路１７６とが並列に接続した回路である。
抵抗回路１７５のスイッチング回路１７８は、検出レベル指示部１５３が出力した二つの検出レベル指示信号のうち検出レベル指示信号６１５ｂが高電位の場合に導通し、低電位の場合に絶縁する。
抵抗回路１７６は、抵抗回路１７５と同様の構成であり、抵抗Ｒ０４と、スイッチング回路１７９とを有する。抵抗Ｒ０４は、固定抵抗である。スイッチング回路１７９は、例えば、抵抗Ｒ０５とトランジスタＱ０９とを有する。スイッチング回路１７９は、検出レベル指示部１５３が出力した二つの検出レベル指示信号のうち検出レベル指示信号６１５ａが高電位の場合に導通し、低電位の場合に絶縁する。
【００６７】
検出レベル指示部１５３が１００％点灯に対応する検出レベルを指示した場合、スイッチング回路１７８、スイッチング回路１７９は、ともにオフになるので、放電回路１７３の抵抗値は、抵抗Ｒ０１の抵抗値と等しくなる。
検出レベル指示部１５３が８０％調光点灯に対応する検出レベルを指示した場合、スイッチング回路１７８はオン、スイッチング回路１７９はオフになるので、放電回路１７３の抵抗値は、抵抗Ｒ０１と抵抗Ｒ０２との並列回路の抵抗値と等しくなる。
検出レベル指示部１５３が６０％調光点灯に対応する検出レベルを指示した場合、スイッチング回路１７８はオフ、スイッチング回路１７９はオンになるので、放電回路１７３の抵抗値は、抵抗Ｒ０１と抵抗Ｒ０３との並列回路の抵抗値と等しくなる。
すなわち、放電回路１７３は、三つの抵抗値をとることが可能であり、検出レベル指示部１５３が出力した検出レベル指示信号に基づいて、三つの抵抗値のうちのいずれかの抵抗値をとる。
なお、検出レベル指示信号６１５ａ，６１５ｂをともに高電位にすれば、放電回路１７３の抵抗値は、抵抗Ｒ０１と抵抗Ｒ０２と抵抗Ｒ０３との並列回路の抵抗値と等しくなるので、放電回路１７３に四つの抵抗値をとらせることもできる。
【００６８】
このように、放電回路１７３を構成する抵抗回路を増やすことにより、放電回路１７３がとり得る抵抗値を増やすことができる。抵抗回路の数をｎとすると、理論的には、放電回路１７３は、２の（ｎ−１）乗通りの抵抗値をとることができる。
【００６９】
したがって、調光レベルが二通りではなく、もっと多い場合であっても、放電回路１７３の抵抗値を適切な値に設定することができ、放電灯ＬＡの異常点灯を精度よく検出することができる。
【００７０】
実施の形態５．
実施の形態５について、図１２を用いて説明する。
この実施の形態における照明器具８００の外観及び放電灯点灯装置１００の回路構成は、実施の形態１で説明したものと同様なので、ここでは説明を省略する。
【００７１】
実施の形態４では、調光レベルが多い場合に、放電回路１７３を構成する抵抗回路の数を増やす構成について説明したが、この実施の形態では、放電回路１７３を構成する抵抗回路の数を増やさずに、調光レベルが多い場合や連続調光（無段階調光）をする場合について説明する。
【００７２】
検出レベル指示部１５３は、調光決定部１５１が決定した調光レベルに基づいて、パルス幅変調（ＰＷＭ）された検出レベル指示信号を生成し、出力する。
検出レベル指示部１５３が生成する検出レベル指示信号は、インバータ回路１３０が生成する高周波交流電圧の周期より十分長い所定の周期（例えば、１ミリ秒）で、高電位と低電位とを繰り返す信号である。検出レベル指示信号が高電位である期間（以下「オン時間」と呼ぶ。）と、低電位である期間（以下「オフ時間」と呼ぶ。）とのデューティ比が、異常検出回路１７０に指示する検出レベルを表わす。
例えば、オンデューティ０％（すなわち、検出レベル指示信号は低電位で一定）の場合、１００％点灯に対応する検出レベルを表わし、オンデューティ２５％の場合、８０％調光点灯に対応する検出レベルを表わし、オンデューティ５０％の場合、６０％調光点灯に対応する検出レベルを表わし、オンデューティ７５％の場合、４０％調光点灯に対応する検出レベルを表わす。オンデューティは連続的に変化させることができるので、無段階調光をする場合にも対応できる。
検出レベル指示部１５３は、調光決定部１５１が決定した調光レベルに基づいて、オン時間及びオフ時間を決定し、決定したオン時間の間は、高電位の検出レベル指示信号を出力し、決定したオフ時間の間は、低電位の検出レベル指示信号を出力することを繰り返す。
【００７３】
図１２は、この実施の形態における放電灯点灯装置１００の動作を示すシーケンス図である。
この例において、時刻ｔ０に、調光決定部１５１が放電灯ＬＡを１００％点灯することを決定し、時刻ｔ１に、調光決定部１５１が放電灯ＬＡを８０％調光点灯することを決定し、時刻ｔ２に、調光決定部１５１が放電灯ＬＡを６０％調光点灯することを決定し、時刻ｔ３に、調光決定部１５１が放電灯ＬＡを４０％調光点灯することを決定したものとする。
【００７４】
周波数指示部１５２は、調光決定部１５１が決定した調光レベルに基づいて、周波数を決定し、インバータ回路１３０に対して指示する。インバータ回路１３０は、指示された周波数の高周波交流電圧を生成し、負荷回路１４０に印加する。これにより、放電灯ＬＡの明るさが変化する。
充電電流生成回路１７１が検出する振幅６１４は、インバータ回路１３０が生成する高周波交流電圧の変化に伴って変化する。
【００７５】
検出レベル指示部１５３は、パルス幅変調された検出レベル指示信号を出力する。
放電回路１７３は、検出レベル指示部１５３が出力した検出レベル指示信号に基づいて、二つの抵抗値のなかから選択された抵抗値をとる。検出レベル指示信号が高電位の場合、放電回路１７３の抵抗値は、抵抗Ｒ０１と抵抗Ｒ０２との並列回路の抵抗値（第一の抵抗値）と等しくなり、検出レベル指示信号が低電位の場合、放電回路１７３の抵抗値は、抵抗Ｒ０１の抵抗値（第二の抵抗値）と等しくなる。
したがって、放電回路１７３は、検出レベル指示部１５３からの指示に基づいて、オン時間６３１の間は第一の抵抗値をとり、オフ時間６３２の間は第二の抵抗値をとる。
【００７６】
第一の抵抗値は第二の抵抗値よりも小さいので、オン時間６３１の間は、放電回路１７３を流れる放電電流が大きくなり、異常検出回路１７０が生成する異常検出電圧６１６は下がる傾向となる。また、オフ時間６３２の間は、放電回路１７３を流れる放電電流が小さくなり、異常検出回路１７０が生成する異常検出電圧６１６は上がる傾向となる。
オン時間６３１とオフ時間６３２とを交互に繰り返すと、オン時間６３１の間に異常検出電圧６１６が下がる変化量と、オフ時間６３２の間に異常検出電圧６１６が上がる変化量とがちょうど釣り合う電圧で、異常検出電圧６１６が安定する。
したがって、オン時間６３１が長いほうが、異常検出電圧６１６は低くなり、オフ時間６３２が長いほうが、異常検出電圧６１６は高くなる。
【００７７】
例えば、検出レベル指示部１５３は、放電灯ＬＡが正常に点灯している場合に充電電流生成回路１７１が検出する振幅６１４に対応して、異常検出回路１７０が生成する異常検出電圧６１６が、検出閾値電圧６１７より少し低い値となるよう、あらかじめ設定されたオン時間及びオフ時間を記憶しておく。検出レベル指示部１５３は、記憶したオン時間及びオフ時間のなかから、調光決定部１５１が決定した調光レベルに基づいて、オン時間及びオフ時間を選択する。
【００７８】
このように、検出レベル指示部１５３が、パルス変調された検出レベル指示信号を出力することにより、調光レベルの数が多い場合や、連続調光（無段階調光）をする場合であっても、放電回路１７３の構成を複雑にすることなく、放電回路１７３の抵抗値（の平均値）を適切な値に設定することができ、放電灯ＬＡの異常点灯を精度よく検出することができる。
これにより、放電回路１７３の構成部品を増やす必要がないので、放電灯点灯装置１００の製造コストを抑えることができる。
【図面の簡単な説明】
【００７９】
【図１】実施の形態１における照明器具８００の外観を示す斜視図。
【図２】実施の形態１における放電灯点灯装置１００の回路構成を示す電気回路図。
【図３】実施の形態１におけるマイクロコンピュータ１５０及び異常検出回路１７０の内部ブロックの構成を示す詳細ブロック図。
【図４】実施の形態１における異常検出回路１７０の具体的な回路構成を示す電気回路図。
【図５】実施の形態１における放電灯点灯装置１００が放電灯ＬＡの調光レベルを調整する調光処理の流れを示すフローチャート図。
【図６】実施の形態１における放電灯点灯装置１００の動作を示すシーケンス図。
【図７】実施の形態２における放電灯点灯装置１００が放電灯ＬＡの異常点灯を検出する異常検出処理の流れを示すフローチャート図。
【図８】実施の形態２における放電灯点灯装置１００の動作を示すシーケンス図。
【図９】実施の形態３における放電灯点灯装置１００が放電灯ＬＡの調光レベルを調整する調光処理の流れを示すフローチャート図。
【図１０】実施の形態３における放電灯点灯装置１００の動作を示すシーケンス図。
【図１１】実施の形態４における異常検出回路１７０の具体的な回路構成を示す電気回路図。
【図１２】実施の形態５における放電灯点灯装置１００の動作を示すシーケンス図。
【符号の説明】
【００８０】
１００  放電灯点灯装置、１１０  電源整流回路、１２０  アクティブフィルタ回路、１２２  ＰＦＣ、１３０  インバータ回路、１３３  インバータ制御回路、１４０  負荷回路、１４３  放電灯回路、１４５  放電灯接続部、１５０  マイクロコンピュータ、１５１  調光決定部、１５２  周波数指示部、１５３  検出レベル指示部、１５４  発振停止指示部、１６０  操作入力回路、１７０  異常検出回路、１７１  充電電流生成回路、１７２  蓄電回路、１７３  放電回路、１７４〜１７６  抵抗回路、１７８，１７９  スイッチング回路、８００  照明器具、８１０  放電灯ソケット、ＡＣ  交流電源、Ｃ２５，Ｃ８３，Ｃ９１  コンデンサ、Ｃ４２  結合コンデンサ、Ｃ４４  始動コンデンサ、Ｄ２４，Ｄ８４，Ｄ８５  ダイオード、ＤＢ  ダイオードブリッジ、ＧＮＤ  グランド配線、Ｌ２１，Ｌ４１  チョークコイル、ＬＡ  放電灯、Ｑ２３，Ｑ３１，Ｑ３２  ＦＥＴ、Ｑ０８，Ｑ０９  トランジスタ、Ｒ８１，Ｒ８２，Ｒ０１〜Ｒ０５  抵抗。
【図１】
2009129554.tif 000003
【図２】
2009129554.tif 000004
【図３】
2009129554.tif 000005
【図４】
2009129554.tif 000006
【図５】
2009129554.tif 000007
【図６】
2009129554.tif 000008
【図７】
2009129554.tif 000009
【図８】
2009129554.tif 000010
【図９】
2009129554.tif 000011
【図１０】
2009129554.tif 000012
【図１１】
2009129554.tif 000013
【図１２】
2009129554.tif 000014